(57)【要約】【課題】遊技機から排出される遊技球を適度な排出速度でアウトレールに確実に導入できる遊技球用設備を提供することを課題とする。【解決手段】遊技球用設備１は、複数のぱちんこ機３０が群を成した遊技機群の内部に配された遊技球を下方に向けて搬送する流路であり、管状の流路形成主部材２と、その流路形成主部材２の内壁に沿って一体的に接続された流路形成副部材３とで構成されている。流路形成副部材３は、螺旋状に形成された単位螺旋部材５を有し、流路形成主部材２内に導入された球は、流路形成副部材３の螺旋状に沿って流れて排出される。【選択図】図３
2013132464.tif 000002
【特許請求の範囲】
【請求項１】
遊技球を用いて遊技する複数の弾球遊技機が並設された遊技機群の内部に配され、遊技球を下方に向けて搬送する遊技球用設備であって、
管状に形成された流路形成主部材と、前記流路形成主部材の内壁に沿って一体的に接続されると共に前記流路形成主部材の軸線方向と異なる形状の経路を形成する経路流路形成副部材とを有することを特徴とする遊技球用設備。
【請求項２】
前記流路形成副部材は、螺旋状に成形した樹脂であることを特徴とする請求項１に記載の遊技球用設備。
【請求項３】
前記流路形成副部材は、環状に成形した樹脂であることを特徴とする請求項１に記載の遊技球用設備。
【請求項４】
前記流路形成副部材は、前記流路形成主部材の管の軸線方向に沿って成形した樹脂であることを特徴とする請求項１に記載の遊技球用設備。
【請求項５】
前記流路形成主部材は、前記流路形成副部材の樹脂よりも軟質性の樹脂で成形されていることを特徴とする請求項１〜４のいずれかに記載の遊技球用設備。
【請求項６】
前記遊技機群の内部には、各遊技機から排出された遊技球をほぼ水平方向に搬送するアウトレールが配されているものであって、
各遊技機と前記アウトレールとの間を繋ぐ位置に配されていることを特徴とする請求項１〜５のいずれかに記載の遊技球用設備。
【発明の詳細な説明】
【技術分野】
【０００１】
本発明は、遊技機島内部に備えられた遊技球を下方に搬送する遊技球用設備に関するものである。
【背景技術】
【０００２】
ぱちんこ機やスロット機等の遊技機が設置された遊技場は、一般的に、複数の遊技機が群を形成した遊技機島を備えた構成とされている（以下、ぱちんこ機に注目して説明する）。そして、各遊技機島は、内部に遊技球（以下、単に球ともいう）を流す搬送路や球が貯留される島タンクを設けることで、必要に応じて球をぱちんこ機に供給したり、単に球を遊技機島内で循環させることを可能とし、遊技の円滑化を図っている。
例えば、特許文献１には、複数のぱちんこ機によって構成された遊技機島に関する技術が開示されている。
【０００３】
ところで、遊技機島内部には、ぱちんこ機から排出された球を通過させるためだけの排出流路がある。この排出流路１１０は、図１４に示すように、球を高さ方向下方に向けて流す搬送路であって、ぱちんこ機から排出された球を一時的に滞留させるアウトボックス１２０と、そのアウトボックス１２０の下流側に接続された螺旋状流路１２１とで構成されている。そして、この排出流路１１０を通過した球は、遊技機島に沿ってほぼ水平方向に延伸したアウトレール９に導入されて、所定の場所に搬送される。
【先行技術文献】
【特許文献】
【０００４】
【特許文献１】特開２００６−００６８５６号公報
【発明の概要】
【発明が解決しようとする課題】
【０００５】
ところが、この種の排出流路１１０を採用した場合、当該流路１１０を通過した球の一部がアウトレール９上に導入されないという不満を抱えていた。
これについて以下に説明する。
ぱちんこ機で使用された球は、遊技機島内部に向かって流れ、排出流路１１０に導入される。排出流路１１０に導入された球は、アウトボックス１２０を通過して、螺旋状流路１２１からアウトレール９に排出される。より具体的には、螺旋状流路１２１を通過する球は、進行方向に螺旋を描きながら流れる。すなわち、螺旋状流路１２１では、遊技球は、流路の周方向に回転して遠心力を生じながら、軸線方向下流側に進行する。すなわち、螺旋状流路１２１においては、球に遠心力が生じて、その遠心力が当該流路に作用することで、図１５、１６に示すように、当該流路自体が大きく振れ動かされる。したがって、球に遠心力が作用することで、螺旋状流路１２１が振れ動き、その螺旋状流路１２１の排出口がアウトレール９から逸脱した位置に移動するため、当該流路から排出される球はアウトレールから外れてしまっていた。これにより、遊技機島内部の搬送路とは関係ない床面等に球が散乱する等の不具合が発生していた。
【０００６】
そのため、このような不具合を解消する方策として、螺旋状流路に替えて、球に螺旋運動を生じさせない単なる樹脂製のホース等を採用することが勘案される。このようなホース等を採用した場合、球の遠心力に起因した流路自体の振れ動きが作用しないため、螺旋状流路のような振れ動きに起因した排出球の逸脱問題は発生しない。
【０００７】
しかしながら、この場合、別の問題が露呈してしまう。すなわち、球が螺旋運動を行わない場合、球に対して作用する重力がダイレクトに加速度となるため、螺旋運動を行う場合よりも排出される際の球の流速が著しく高速となり、その球の勢いでアウトレールを破損させたり、球の勢いに起因して排出球がアウトレールから逸脱してしまう場合があった。結果的に、このような方策によっても、排出球の逸脱問題は根本的に解決することはできなかった。
【０００８】
このように、従来技術では、アウトレールに導入される排出球の逸脱問題と、アウトレールに導入される排出球の排出速度問題の双方を、同時に満足し得る排出流路を提供することができなかった。
【０００９】
そこで、本発明では、従来技術の問題点に鑑み、遊技機から排出される遊技球を適度な排出速度に制限できると共に、アウトレールに確実に導入できる遊技球用設備を提供することを課題とする。
【課題を解決するための手段】
【００１０】
上記した課題を解決すべく提供される請求項１に係る発明は、遊技球を用いて遊技する複数の弾球遊技機が並設された遊技機群の内部に配され、遊技球を下方に向けて搬送する遊技球用設備であって、管状に形成された流路形成主部材と、前記流路形成主部材の内壁に沿って一体的に接続されると共に前記流路形成主部材の軸線方向と異なる形状の経路を形成する経路流路形成副部材とを有することを特徴とする遊技球用設備である。
【００１１】
ここで、遊技球を下方に向けて搬送する流路を、従来のように、単にコイル状に巻回した部材のみで形成した場合、遊技球の排出速度を適度に減速させることはできるが、その遊技球が通過する流路は、その遊技球に生じる遠心力の影響を受け易く、流路自体が大きく振れ動いてしまっていた。すなわち、従来では、流路から排出される遊技球を所定の範囲に適切に排出できないという不具合が生じていた。
【００１２】
そこで、本発明の遊技球用設備では、管状の流路形成主部材と、その流路形成主部材の内壁に沿って一体的に接続されると共に流路形成主部材の軸線方向と異なる形状の経路を形成する流路形成副部材とを備えた構成とされている。すなわち、本発明の遊技球用設備は、遊技球が搬送される流路を異なる２部材を融合して形成しており、一方の部材に遊技球の排出速度を適度に減じる機能を付与し、他方の部材に流路の振れ動きを防止する機能を付与している。
【００１３】
具体的には、遊技球が流れる流路形成主部材の内側に一体的に接続された流路形成副部材として、例えば従来と同様のコイル状に巻回した部材を採用する。そうすれば、遊技球用設備を通過する遊技球は、流路形成副部材によって、流路形成主部材の周方向に回転しながら、軸線方向に進行するため、軸線方向の速度を適度に減じる。これにより、先に説明した排出速度に起因した不具合は防止される。また、本発明では、遊技球の速度を減じる機能を有した流路形成副部材の外側位置で、管状の流路形成主部材が一体的に接続されているため、流路形成副部材の機能を損なうことなく流路の屈曲に抗する強度が補強され、流路形成副部材の振れ動きを抑制することができる。
このように、本発明の遊技球用設備は、異なる２部材を一体的に接続し、それぞれが不足する機能を相互に補完し合う関係であるため、遊技球の排出速度を適度に減じつつ、流路の振れ動きを抑制することができる。そして、当該流路から排出される遊技球を、確実に所定の範囲内、例えばアウトレール上に排出することができる。
【００１４】
請求項２に係る発明は、前記流路形成副部材は、螺旋状に成形した樹脂であることを特徴とする請求項１に記載の遊技球用設備である。
【００１５】
かかる構成によれば、流路形成副部材の螺旋形状によって、遊技球を螺旋運動させることができるため、排出方向の実質的な加速度を減じることができる。すなわち、本発明によれば、遊技球に作用する重力の一部が螺旋運動に使用されるため、排出速度たる流路形成主部材の軸線方向の速度を適度に減じることができる。
【００１６】
請求項３に係る発明は、前記流路形成副部材は、環状に成形した樹脂であることを特徴とする請求項１に記載の遊技球用設備である。
【００１７】
かかる構成によれば、環状に形成した流路形成副部材によって、遊技球の排出速度を効果的且つ適度に減じることができる。例えば、軸線方向に次第に内径が狭小となる環状の流路形成副部材を採用し、その狭小側の端部を流路の下流側に位置するようにすれば、流路を通過する遊技球がダイレクトに当該狭小側の端部に至ることがない限り、その遊技球は流路壁面に衝突しながら下流側に流れる。すなわち、本発明によれば、遊技球を流路壁面に衝突させて、速度を減じさせることができるため、遊技球を適度な排出速度で排出することができる。
【００１８】
請求項４に係る発明は、前記流路形成副部材は、前記流路形成主部材の管の軸線方向に沿って成形した樹脂であることを特徴とする請求項１に記載の遊技球用設備である。
【００１９】
かかる構成によれば、流路形成主部材の管の軸線方向に沿って成形した流路形成副部材によって、遊技球の排出速度を効果的且つ適度に減じることができる。例えば、流路形成主部材の直径上に一対の流路形成副部材を設け、その流路形成副部材同士の間を流路形成主部材の軸線方向に向けてジグザグにした蛇行流路とすれば、遊技球はその流路に沿って蛇行運動をするため、軸線方向の速度が過度に上昇しない。すなわち、本発明によれば、適度な排出速度で遊技球を排出することができる。
【００２０】
本発明の遊技球用設備は、前記流路形成主部材は、前記流路形成副部材の樹脂よりも軟質性の樹脂で成形されていることが望ましい。（請求項５）
【００２１】
本発明の遊技球用設備は、前記遊技機群の内部には、各遊技機から排出された遊技球をほぼ水平方向に搬送するアウトレールが配されているものであって、各遊技機と前記アウトレールとの間を繋ぐ位置に配されていることが望ましい。（請求項６）
【発明の効果】
【００２２】
本発明の遊技球用設備では、流路形成主部材と流路形成副部材とを一体的に接続し、一方の部材に遊技球の排出速度を規制する機能を付与し、他方の部材に流路自体の振れ動きを抑制する機能を付与したため、遊技機から排出された遊技球を適度な排出速度でアウトレールに確実に導入することができる。
【図面の簡単な説明】
【００２３】
【図１】本発明の第一実施形態に係る遊技球用設備を備えた遊技機島を示す正面図である。
【図２】図１の遊技機島の内部における搬送路に注目した概念図である。
【図３】図２のＡ部を拡大した説明図である。
【図４】遊技球用設備を示す斜視図である。
【図５】図４の遊技球用設備を示す分解斜視図である。
【図６】図４の遊技球用設備を示すＢ−Ｂ断面図である。
【図７】図４の遊技球用設備を示すＣ−Ｃ断面図である。
【図８】第二実施形態の遊技球用設備を示す斜視図である。
【図９】図８の流路形成副部材を示す縦断面図である。
【図１０】図８の流路形成副部材を通過する球の様子を示す説明図である。
【図１１】第三実施形態の遊技球用設備を示す斜視図である。
【図１２】図１１の遊技球用設備を示す縦断面図である。
【図１３】図１２の流路形成副部材を通過する球の様子を示す説明図である。
【図１４】従来の排出流路を示す説明図である。
【図１５】図１４の螺旋状流路が振れ動く軌跡を正面視した概念図である。（二点鎖線：軌跡）
【図１６】図１４の螺旋状流路が振れ動く軌跡を平面視した概念図である。（二点鎖線：軌跡）
【発明を実施するための形態】
【００２４】
以下、本発明の実施形態に係る遊技球用設備１について説明する。
本実施形態の遊技球用設備１は、複数の弾球遊技機（以下、ぱちんこ機という）３０を１つの群とした遊技機群（以下、遊技機島という）３１に適した構成であり、その遊技機島３１の内部に配され、ぱちんこ機３０で使用された遊技球（以下、単に球という）を、アウトレール９（図２）に確実に排出できる管状の排出流路である。
以下の説明においては、理解を容易にするために、遊技球用設備１を備えた１つの遊技機島３１に注目して説明する。
【００２５】
まず、遊技機島３１を構成する主要な機器について説明する。
遊技機島３１は、図１に示すように、島の外郭を形成する島構造部２８に複数の枠状の遊技機取付部３３が並列的に設けられており、ぱちんこ機３０はその遊技機取付部３３に設置されている。具体的には、遊技機島３１は、島構造部２８に並設されたぱちんこ機３０を２列（１列のみ図示）有する。
また、島構造部２８で形成された内部空間においては、図２に示すように、ぱちんこ機３０の設置位置よりも高さ方向上方に上部島タンク２３が設置され、ぱちんこ機３０の設置位置よりも高さ方向下方に２つの下部島タンク２５、２６と、球研磨装置２７と、球揚送装置２９が設置されている。
【００２６】
ぱちんこ機３０は、公知のそれと同一のものが採用されており、正面側（遊技機島３１の外側）には盤面等が設けられ、背面側（遊技機島３１の内側）には、上部島タンク２３等から球が供給される補給タンク（図示しない）や、ぱちんこ機３０で使用された球が排出される球排出口４４（図３）等が取り付けられている。
【００２７】
上部島タンク２３は、後述する球揚送装置２９から送られた球を一時的に貯留する貯留手段であり、必要に応じて球をぱちんこ機３０に送り出す機能や隣接する他の遊技機島に向けて送り出す機能、さらには一定量以上の球が流入した場合に強制的に球を排出することを可能とする機能が備えられている。
【００２８】
下部島タンク２５、２６は、遊技機島３１の端部（ぱちんこ機３０の並設方向端部）にそれぞれ１つずつ配され、上部島タンク２３において強制的に排出された球や、球を計数する図示しない計数装置等から送られた球を一時的に貯留する貯留手段である。そして、下部島タンク２５、２６には、必要に応じてタンク内の球を後述する球研磨装置２７に送り出すことを可能とする機能が備えられている。
【００２９】
球研磨装置２７は、公知のそれと同様のものであり、遊技機島３１の中央近傍（ぱちんこ機３０の並設方向の中間）に配されて、下部島タンク２５、２６及びぱちんこ機３０から排出された球が導入されて研磨する装置である。
【００３０】
球揚送装置２９は、遊技機島３１の中央近傍（ぱちんこ機３０の並設方向の中間）で、球研磨装置２７に隣接した位置に配されており、球研磨装置２７から送り出された球を上方に向けて揚送する装置である。
【００３１】
続いて、遊技機島３１における搬送路３２について説明する。
搬送路３２は、図２に示すように、前記した各機器を繋いだ流路であり、大別して、ぱちんこ機３０の並設方向に延伸した横搬送路１１と、高さ方向に延伸した縦搬送路１２により構成されている。
【００３２】
横搬送路１１には、ぱちんこ機３０の設置位置よりも高さ方向下方に位置する低位置搬送路たるアウトレール９と、ぱちんこ機３０の設置位置よりも高さ方向上方に位置する高位置搬送路たる補給レール３５及びオーバーフローレール４０がある。
【００３３】
アウトレール９は、ぱちんこ機３０から排出された球（アウト球）や下部島タンク２５、２６から排出された球を搬送する流路で、遊技機島３１の各端部ａ、ｂ側から球研磨装置２７に向けて下り勾配となるように設置されたレールである。具体的には、アウトレール９は、遊技機島３１の一方の端部ａ側から球研磨装置２７に向けて下り勾配のレール９ａと、遊技機島３１の他方の端部ｂ側から球研磨装置２７に向けて下り勾配のレール９ｂとで構成されている。即ち、アウトレール９は、流入した球を遊技機島３１のほぼ中央の位置にある球研磨装置２７に向けて自然搬送する流路である。
【００３４】
補給レール３５は、図２に示すように、各ぱちんこ機３０に向けて球を搬送する流路で、上部島タンク２３から遊技機島３１の端部に向けて下り勾配となるように設置された流路である。具体的には、補給レール３５は、上部島タンク２３から遊技機島３１の一方の端部ａ側に向けて下り勾配のレール３５ａと、上部島タンク２３から他方の端部ｂ側に向けて下り勾配のレール３５ｂとで構成されている。即ち、補給レール３５は、遊技機島３１のほぼ中央から遊技機島３１の各端部ａ、ｂに向けて自然搬送する流路である。
【００３５】
オーバーフローレール４０は、上部島タンク２３において一定量を超えた球を下部島タンク２５、２６に向けて搬送するという点と、補給レール３５より若干低い位置に設置されているという点以外は、補給レール３５とほぼ同様の構成であるため、説明を省略する。
【００３６】
一方、縦搬送路１２には、各ぱちんこ機３０に対応する位置に配された補給シュート（図示しない）と、下部島タンク２５、２６に球を導入する球抜きホース４１及びオーバーフローホース４２と、各ぱちんこ機３０から排出されるアウト球をアウトレール９に排出する排出流路１０と、球を上方に向けて搬送する揚送流路４３とがある。
【００３７】
補給シュート（図示しない）は、補給レール３５から枝状に分岐した流路であり、ぱちんこ機３０や貸出機（図示しない）に球を振り分けて供給するものである。
【００３８】
球抜きホース４１は、遊技機島３１の端部側に位置し且つ補給レール３５から垂下するように接続された流路である。なお、球抜きホース４１は、補給レール３５上に滞留した球を強制排出する際に使用する流路であり、通常、この球抜きホース４１に球が通過することはない。
【００３９】
オーバーフローホース４２は、遊技機島３１の端部側に位置し且つオーバーフローレール４０から垂下するように接続された流路である。
【００４０】
揚送流路４３は、球揚送装置２９と上部島タンク２３とを繋ぐ流路であり、球揚送装置２９の駆動力によって押し出された球を、上方に向けて搬送する流路である。
【００４１】
排出流路１０は、図３に示すように、ぱちんこ機３０の球排出口４４のほぼ直下に設けられており、球排出口４４から排出されたアウト球を、アウトレール９に導入する流路で、アウトボックス２０と、そのアウトボックス２０を通過した球を順次、アウトレール９に向けて下方に流す管状流路たる遊技球用設備１とで構成されている。なお、アウトボックス２０は、公知のそれと同様であるため、具体的説明を省略する。
【００４２】
次に、管状流路たる遊技球用設備１について具体的に説明する。
本実施形態の遊技球用設備１は、図４に示すように、管状の流路形成主部材２と、その流路形成主部材２の内壁に沿って一体的に接続された螺旋状の流路形成副部材３とで構成されている。
【００４３】
流路形成主部材２は、図５に示すように、流路の外郭を形成する外殻形成部材であって、塩化ビニル樹脂、あるいはゴム等の軟質性の樹脂によって形成された直線状のチューブである。また、流路形成主部材２は、図６に示すように、断面形状が円形であり、外径が１７ｍｍ程度、内径が１６ｍｍ程度とされている。なお、流路形成主部材２は、ほぼ均一な部材厚であり、いずれの箇所においても１．０〜１．２ｍｍ、好ましくは１．０ｍｍとされている。
【００４４】
流路形成副部材３は、図５に示すように、球の流れを規制する流速規制部材であって、ポリプロピレン等の樹脂によって形成された螺旋状の部材である。具体的には、流路形成副部材３は、図７に示すように、断面形状が円形を呈し、断面の直径が１．５〜２．０ｍｍ程度の線状部材である。そして、その線状部材を、１３〜１７ｍｍ程度、好ましくは１５ｍｍのピッチＰでコイル状に巻回した単位螺旋部材５を、複数組み合わせた多条構造である（本実施形態は二条構造）。より具体的には、流路形成副部材３は、図７に示すように、２つの単位螺旋部材５が互いに、それぞれのピッチの中央に位置するような配置で組み合わされている。すなわち、流路形成副部材３は、実質的な巻回ピッチが、６〜８ｍｍ程度の螺旋状部材である。なお、流路形成副部材３の流路径（単位螺旋部材５の内径）は、１１〜１２ｍｍに設定されている。
【００４５】
そして、本実施形態の遊技球用設備１は、上記した構成の流路形成主部材２と流路形成副部材３とを、公知の製造方法を用いて、一体的に接続するように形成されている。
【００４６】
以上により、本実施形態の遊技球用設備１は、２つの単位螺旋部材５によって形成された二条構造の流路形成副部材３が、外郭を形成する管状の流路形成主部材２の内壁に一体的に接続されて、流路形成主部材２の内部に螺旋状の流路を形成しているため、導入された球を螺旋を描きながら通過させることができる。
また、本実施形態では、螺旋状部材たる流路形成副部材３の外側に流路形成主部材２が位置し、その流路形成副部材３の軸線方向に対して交差する方向への変形を抗する強度が増強されているため、球の螺旋運動による流路の振れ動きが殆どない。
したがって、本実施形態によれば、ぱちんこ機３０から排出されたアウト球を、適度な排出速度に規制すると共に、アウトレール９に確実に排出することができるため、遊技機島３１内部の搬送路３２から逸脱した床面等に球が散乱するような不具合が発生しない。
【００４７】
上記実施形態では、流路形成副部材３を螺旋状に成形した構成を示したが、本発明はこれに限定されず、環状に成形したものや、流路形成主部材２の軸線方向に沿って成形したものを流路形成副部材として採用した構成であっても構わない。要するに、流路形成副部材は、上記実施形態のように、通過する球の排出速度を適度に減じることができる構成であればよい。
以下に、環状に成形したものや、軸線方向に沿って成形したものを用いた流路形成副部材７、８について説明する。
【００４８】
第二実施形態に係る遊技球用設備４は、図８に示すように、環状に成形したリング状部材１５を、流路形成主部材２の軸線方向に複数直列的に並べて流路形成副部材７を形成している。そして、この流路形成副部材７によって、球の排出速度を適度に減速する構成とされている。すなわち、リング状部材１５は、図９に示すように、流路形成主部材２の軸線方向であって球の流れ方向下流側に向けて、内径が次第に狭小となる構造である。具体的には、リング状部材１５は、軸線方向長さが、２．０〜５．０ｍｍであり、好ましくは２．０〜３．５ｍｍである。そして、リング状部材１５は、軸線方向下流側端部の内径が球の直径（１１ｍｍ）と同等とされ、反対側の端部（上流側端部）の内径が前記下流側端部の１．２〜１．３倍程度、つまり１３〜１５ｍｍ程度とされている。すなわち、リング状部材１５は、図１０に示すように、ダイレクトに下流側端部を通過しない限り、球を導入し易く排出し難い構造にされている。
【００４９】
また、流路形成副部材７は、流路形成主部材２の内側において、各リング状部材１５が、所定のピッチ（球の直径１１ｍｍ以下）で配された構成である。換言すれば、流路形成副部材７は、球の通過において、各リング状部材１５同士の間に２以上の球が存在し得ない構成である。
【００５０】
以上により、本実施形態の遊技球用設備４では、流路形成副部材７を通過する球は、各リング状部材１５の軸線方向に狭小となった構造によって、内壁に衝突しながら下流に向かって流れるため、適度に排出速度を規制することができる。また、この構成であれば、球に遠心力が生じないため、流路が大きく振れ動くような不具合も発生し得ない。このように、本実施形態においても、上記実施形態とほぼ同様の作用効果を期待することが可能である。
【００５１】
また、第三実施形態に係る遊技球用設備６は、図１１に示すように、軸線方向に沿って成形した長尺状部材１６を、流路形成主部材２の内周に沿って複数（本実施形態では４つ）並べて流路形成副部材８を形成している。そして、この流路形成副部材８によって、上記同様、球の排出速度を適度に減速する構成とされている。なお、４つの長尺状部材１６のうち、２つは単なる直線状の部材で、残りの２つが球の減速に寄与する構成を備えているため、その残りの２つの長尺状部材１６ａ、１６ｂに注目して説明する。
【００５２】
長尺状部材１６ａ、１６ｂは、図１１に示すように、流路形成主部材２の直径上に対向するように配されるもので、流路形成主部材２に接続した際に、流路の内側に当たる部分が、長手方向に沿って上り勾配と下り勾配とが交互に形成された構成である。具体的には、長尺状部材１６ａ、１６ｂは、図１２に示すように、流路形成主部材２の中心を基準に、互いに相反する傾斜となるように配置されており、水平方向の距離がほぼ一定（球の直径程度）にされている。すなわち、流路形成副部材８は、長尺状部材１６ａ、１６ｂによって、軸線方向にジグザグの蛇行流路が形成されている。これにより、長尺状部材１６ａ、１６ｂは、図１３に示すように、球を下流に向けて蛇行するように流すことができる構造である。
【００５３】
以上により、本実施形態の遊技球用設備６では、流路形成副部材８を通過する球は、長尺状部材１６ａ、１６ｂのジグザグ構造によって、下流に向かって蛇行するように流れるため、適度に排出速度を規制することができる。また、この構成であれば、球に遠心力が生じないため、流路が大きく振れ動くような不具合も発生し得ない。このように、本実施形態においても、上記実施形態とほぼ同様の作用効果を期待することが可能である。
【符号の説明】
【００５４】
１、４、６    遊技場用設備
２    流路形成主部材
３、７、８    流路形成副部材
５    単位螺旋部材
９    アウトレール
１０    排出流路
１５    リング状部材
１６    長尺状部材
３０    ぱちんこ機
３１    遊技機島
３２    搬送路
【図１】
2013132464.tif 000003
【図２】
2013132464.tif 000004
【図３】
2013132464.tif 000005
【図４】
2013132464.tif 000006
【図５】
2013132464.tif 000007
【図６】
2013132464.tif 000008
【図７】
2013132464.tif 000009
【図８】
2013132464.tif 000010
【図９】
2013132464.tif 000011
【図１０】
2013132464.tif 000012
【図１１】
2013132464.tif 000013
【図１２】
2013132464.tif 000014
【図１３】
2013132464.tif 000015
【図１４】
2013132464.tif 000016
【図１５】
2013132464.tif 000017
【図１６】
2013132464.tif 000018